(57)【特許請求の範囲】
【請求項１】
点灯回路が取付けられる本体ユニットと、
ＬＥＤを有する点灯ユニットと、
前記本体ユニットに取り付けられる取付金具と、
前記点灯ユニットに取り付けられて前記取付金具に嵌合される取付ばねと、
一端部が前記点灯ユニットに接続され、他端部が前記取付金具に接続される落下防止紐と、を備え、
前記取付金具は、前記本体ユニットに取り付けられる基部と、前記基部に傾斜して接続される傾斜板部と、を備え、前記落下防止紐の他端部が前記傾斜板部に取り付けられる照明器具。
【請求項２】
請求項１に記載の照明器具において、
前記取付金具は、前記傾斜板部にねじ止めされており、前記傾斜板部は、緩め止めのための回転規制部を有する照明器具。
【請求項３】
請求項１または請求項２に記載の照明器具において、
前記取付金具は、前記取付ばねに嵌合される嵌合部を有し、前記傾斜板部が、前記嵌合部よりも前記本体ユニットの内側に配置される照明器具。
【請求項４】
請求項１ないし請求項３のうちのいずれか１項に記載の照明器具において、
前記点灯ユニットに取り付けられる反射板ユニットを備え、
前記取付金具は、前記反射板ユニットの幅方向をガイドするためのガイド板部を有する照明器具。
【請求項５】
請求項４のうちのいずれか１項に記載の照明器具において、
前記取付金具は、前記ガイド板部が前記反射板ユニットの長手方向をガイド可能である照明器具。
【請求項６】
点灯回路が取付けられる本体ユニットと、
ＬＥＤを有する点灯ユニットと、
前記本体ユニットに取り付けられる取付金具と、
前記点灯ユニットに取り付けられて前記取付金具に嵌合される取付ばねと、
一端部が前記点灯ユニットに接続され、他端部が前記取付金具に接続される落下防止紐と、を備え、
前記取付金具は、前記本体ユニットに取り付けられる基部と、前記基部に傾斜して接続される傾斜板部と、を備え、前記落下防止紐の他端部が前記傾斜板部に取り付けられる照明器具の組立方法において、
前記落下防止紐の他端部が前記傾斜板部に接続された前記取付金具を、前記本体ユニットに取り付けた後に、前記本体ユニットに、前記点灯ユニットを取り付ける照明器具の組立方法。
【発明の詳細な説明】
【技術分野】
【０００１】
本発明は、ＬＥＤを光源として天井面に設置されるベースライトに適用される照明器具および照明器具の組立方法に関する。
【背景技術】
【０００２】
従来より、落下防止紐の一端を器具本体に取り付け、落下防止紐の他端をルーバに取り付けた照明器具および照明器具の組立方法が知られている（例えば、特許文献１参照）。
【先行技術文献】
【特許文献】
【０００３】
【特許文献１】特開２００８−２１５３９号公報（図１、請求項１）
【発明の概要】
【発明が解決しようとする課題】
【０００４】
前述した特許文献１に記載された照明器具および照明器具の組立方法は、施工時に、落下防止紐が垂れ下がるために、落下防止紐をルーバに装着することを認識させて装着忘れを防止できる。
【０００５】
ところが、前述した特許文献１に記載された照明器具および照明器具の組立方法は、器具本体に取り付けられる落下防止紐の一端が例えばＳ字形状のフックになっており、このフックを器具本体に引掛けることにより落下防止紐が器具本体に取り付けられる。そのため、落下防止紐は器具本体から容易に着脱される。
【０００６】
従って、前述した特許文献１に記載された照明器具および照明器具の組立方法は、施工時に落下防止紐が弛んだ場合等にフックが器具本体から外れることがあるとともに、施工後に振動等によりフックが器具本体から外れることがある。さらに、一般のユーザーが施工時に落下防止紐のフックを器具本体に取り付けるのを忘れることがある。
【０００７】
本発明は、前述した課題を解決するためになされたものであり、その目的は、落下防止紐を外れないようにできる照明器具および照明器具の組立方法を提供することにある。
【課題を解決するための手段】
【０００８】
本発明に係る照明器具は、点灯回路が取付けられる本体ユニットと、ＬＥＤを有する点灯ユニットと、前記本体ユニットに取り付けられる取付金具と、前記点灯ユニットに取り付けられて前記取付金具に嵌合される取付ばねと、一端部が前記点灯ユニットに接続され、他端部が前記取付金具に接続される落下防止紐と、を備え、前記取付金具は、前記本体ユニットに取り付けられる基部と、前記基部に傾斜して接続される傾斜板部と、を備え、前記落下防止紐の他端部が前記傾斜板部に取り付けられる。
【００１０】
本発明に係る照明器具は、前記取付金具は、前記傾斜板部にねじ止めされており、前記傾斜板部は、緩め止めのための回転規制部を有する。
【００１１】
本発明に係る照明器具は、前記取付金具は、前記取付ばねに嵌合される嵌合部を有し、前記傾斜板部が、前記嵌合部よりも前記本体ユニットの内側に配置される。
【００１２】
本発明に係る照明器具は、前記点灯ユニットに取り付けられる反射板ユニットを備え、前記取付金具は、前記反射板ユニットの幅方向をガイドするためのガイド板部を有する。
【００１３】
本発明に係る照明器具は、前記取付金具は、前記ガイド板部が前記反射板ユニットの長手方向をガイド可能である。
【００１４】
本発明に係る照明器具の組立方法は、点灯回路が取付けられる本体ユニットと、
ＬＥＤを有する点灯ユニットと、
前記本体ユニットに取り付けられる取付金具と、
前記点灯ユニットに取り付けられて前記取付金具に嵌合される取付ばねと、
一端部が前記点灯ユニットに接続され、他端部が前記取付金具に接続される落下防止紐と、を備え、
前記取付金具は、前記本体ユニットに取り付けられる基部と、前記基部に傾斜して接続される傾斜板部と、を備え、前記落下防止紐の他端部が前記傾斜板部に取り付けられる照明器具の組立方法において、
前記落下防止紐の他端部が前記傾斜板部に接続された前記取付金具を、前記本体ユニットに取り付けた後に、前記本体ユニットに、前記点灯ユニットを取り付ける。
【発明の効果】
【００１５】
本発明に係る照明器具および照明器具の組立方法によれば、落下防止紐を外れないようにできるという効果を奏する。
【図面の簡単な説明】
【００１６】
【図１】本発明に係る一実施形態の照明器具の分解斜視図
【図２】図１の照明器具に適用される取付金具の斜め下方から視た外観斜視図
【図３】図２の取付金具の側面図
【図４】図１の照明器具の組立方法の第１段階の外観斜視図
【図５】図１の照明器具の組立方法の第２段階の外観斜視図
【図６】図１の照明器具の取付金具の作用を説明する組立前の側面から視た垂直断面図
【図７】図１の照明器具の取付金具の作用を説明する組立中の側面から視た垂直断面図
【図８】図１の照明器具の取付金具の作用を説明する組立前の正面から視た垂直断面図
【図９】図１の照明器具の取付金具の作用を説明する組立中の正面から視た垂直断面図
【発明を実施するための形態】
【００１７】
以下、本発明に係る一実施形態の照明器具および照明器具の組立方法について図面を参照して説明する。
本発明に係る一実施形態の照明器具１０は、安定器等の点灯回路１２が取り付けられた本体ユニット１１と、本体ユニット１１に取り付けられた一対の取付金具１３と、反射板ユニット１４と、複数のＬＥＤ１６を配列させたＬＥＤユニット１７を有する点灯ユニット１５と、点灯ユニット１５に取り付けられ、取付金具１３に嵌合される一対の取付ばね１８と、一端部が取付金具１３に取り付けられ、他端部が点灯ユニット１５に取り付けられた一対の落下防止紐１９とを備えるベースライトである。
【００１８】
図１に示すように、本体ユニット１１は、板金曲部材製やアルミニウム押出型材製であって長方形の板形状に形成されており、下面の両端部に取付金具１３が取り付けられている。
反射板ユニット１４は、本体ユニット１１と同様に、板金曲部材製やアルミニウム押出型材製であって上方および下方が開放された長方形に形成されている。反射板ユニット１４は、長手方向の端部に一対の端板２０を有するとともに長手方向に直交する短手方向に一対の側板２１を有し、下面の両側に一対の反射板（図８参照）２２を有する。
【００１９】
点灯ユニット１５は、例えば樹脂製であって下面の長手方向に複数のＬＥＤ（図４参照）１６を配列させたＬＥＤユニット（図４参照）１７が取り付けられており、ＬＥＤユニット１７の前面にレンズ２３が取り付けられている。ＬＥＤ１６は不図示の基板の下面に実装されており、基板に有する不図示のプリント回路が点灯回路１２に電気的に接続される。点灯ユニット１５は、上面の両端部に取付ばね１８が取り付けられている。
【００２０】
取付ばね１８は、弾性を有する金属製の板部材を折曲加工することにより略Ｃ字形状に形成されている。取付ばね１８は、先端部に取付金具１３に有する嵌合部２４を挾み込むように弾性反発力が設定された一対の対向する保持部２５を有する。
【００２１】
落下防止紐１９は、反射板ユニット１４および点灯ユニット１５の合算された重量に十分耐えるワイヤ等であり、一端部に有する取付金具結束部２６が取付金具１３に有する傾斜板部２７に結束されており、他端部に有する点灯ユニット結束部２８が点灯ユニット１５の上面において取付ばね１８の内側に結束されている。
【００２２】
図２に示すように、取付金具１３は、本体ユニット１１にねじ止められる基部２９と、基部２９において本体ユニット１１の長手方向の外側に配置されたガイド板部３０と、基部２９において本体ユニット１１の長手方向の内側に傾斜して接続された傾斜板部２７と、ガイド板部３０および傾斜板部２７の間に配置された嵌合部２４とを備える。
【００２３】
ガイド板部３０は基部２９における本体ユニット１１の短手方向の幅寸法よりも大きい幅寸法を有する。ガイド板部３０は基部２９の一端部から傾斜板部２７に向けてわずかに傾斜して形成されている。
傾斜板部２７には、落下防止紐１９の取付金具結束部２６を結束するための結束部材３１がねじ止めされている。傾斜板部２７は、結束部材３１の両側に結束部材３１の緩め止めのための回転規制部３２を有する。
従って、落下防止紐１９は、回転規制部３２により結束部材３１が緩め止めされることにより、引張荷重がかかったとしても、結束部材３１を介して取付金具１３の傾斜板部２７に結束された取付金具結束部２６が取付金具１３の傾斜板部２７から容易に外れることがない。また、落下防止紐１９の引出方向を規制できる。
【００２４】
嵌合部２４は、菱形に形成されており、点灯ユニット１５上の取付ばね１８に対応して突出されている。嵌合部２４は、取付ばね１８に嵌合されることにより、取付ばね１８の保持部２５に保持される。
従って、取付金具１３は、単一構造の部材に、落下防止紐１９を結束させる機能と、取付ばね１８に嵌合される機能とを有するために、点灯ユニット１５に、落下防止紐１９を結束させる部材と、取付ばね１８に嵌合される部材との別部材を取り付ける場合と比べて、部品点数を削減できる。
【００２５】
図３に示すように、取付金具１３は、傾斜板部２７が、基部２９に対して、直角よりも小さく予め定められた角度で本体ユニット１１の長手方向の内側に傾斜されている。そのため、落下防止紐１９は、取付金具結束部２６が傾斜板部２７にねじ止めされた結束部材３１に結束されているために、傾斜板部２７により嵌合部２４から離れる方向に引き出されている。これに対して、図３中に仮想線で示すように、傾斜板部を有さずに基部に対して直角に接続された板部分に落下防止紐１９が結束された場合、落下防止紐１９が嵌合部２４側に弛んで嵌合部２４と取付ばね１８との間で挟み込みを生ずる。
従って、落下防止紐１９は、取付金具１３の嵌合部２４よりも本体ユニット１１の内側の傾斜板部２７に結束されているために、嵌合部２４と取付ばね１８との間に挟み込まれることがない。
【００２６】
次に、照明器具１０の組立方法について説明する。
図４に示すように、工場での組立工程の第１段階において、本体ユニット１１において一対の取付金具１３の傾斜板部２７に、落下防止紐１９の取付金具結束部２６が結束された結束部材３１がねじ止めされる。同時に、点灯ユニット１５の上面において取付ばね１８の内側に落下防止紐１９の点灯ユニット結束部２８が結束される。
【００２７】
図５に示すように、工場での組立工程の第２段階において、本体ユニット１１と、点灯ユニット１５と、一端部が取付金具１３に結束され、他端部が点灯ユニット１５に結束された落下防止紐１９との組体の形態となり、この形態が工場からの出荷形態となる。
【００２８】
そして、施工現場において、本体ユニット１１が天井面等に取り付けられる。このとき、落下防止紐１９は、一端部が取付金具１３に既に結束されており、他端部が点灯ユニット１５に既に結束されているために、本体ユニット１１に対して反射板ユニット１４が取り付けられた点灯ユニット１５を吊り下げる。
従って、落下防止紐１９は、従来のもののように、施工現場において、フックを本体ユニットに引掛ける必要がなく、反射板ユニット１４が取り付けられた点灯ユニット１５の落下を確実に防止できる。
【００２９】
次に、反射板ユニット１４が取り付けられた点灯ユニット１５を本体ユニット１１に対して進行させていき、点灯ユニット１５の上面に有する取付ばね１８を本体ユニット１１の下面に有する取付金具１３の嵌合部２４に嵌合させる。これにより、反射板ユニット１４が取り付けられた点灯ユニット１５が本体ユニット１１に組み立てられる。
【００３０】
図６に示すように、反射板ユニット１４が取り付けられた点灯ユニット１５が本体ユニット１１に組み立てられるに際し、反射板ユニット１４が取り付けられた点灯ユニット１５が本体ユニット１１の長手方向にずれて本体ユニット１１に対して進行されていくと、反射板ユニット１４の一方の端板２０が取付金具１３のガイド板部３０に当接される。
【００３１】
図７に示すように、反射板ユニット１４の一方の端板２０が取付金具１３のガイド板部３０に当接されることにより、反射板ユニット１４が取り付けられた点灯ユニット１５が本体ユニット１１の長手方向に誘導されてずれが補正される。
従って、反射板ユニット１４が取り付けられた点灯ユニット１５が本体ユニット１１に組み立てられるに際し、反射板ユニット１４の端板２０が取付金具１３のガイド板部３０に当接されることにより、反射板ユニット１４が取り付けられた点灯ユニット１５が本体ユニット１１の長手方向に誘導されてずれが補正され、反射板ユニット１４が取り付けられた点灯ユニット１５が本体ユニット１１の長手方向に対して所定の位置に取り付けられる。
【００３２】
図８に示すように、反射板ユニット１４が取り付けられた点灯ユニット１５が本体ユニット１１に組み立てられるに際し、反射板ユニット１４が取り付けられた点灯ユニット１５が本体ユニット１１の長手方向に直交する短手方向にずれて本体ユニット１１に対して進行されていくと、反射板ユニット１４の一方の側板２１が取付金具１３のガイド板部３０に当接される。
【００３３】
図９に示すように、反射板ユニット１４の一方の側板２１が取付金具１３のガイド板部３０に当接されることにより、反射板ユニット１４が取り付けられた点灯ユニット１５が本体ユニット１１の短手方向に誘導されてずれが補正される。
従って、反射板ユニット１４が取り付けられた点灯ユニット１５が本体ユニット１１に組み立てられるに際し、反射板ユニット１４の側板２１が取付金具１３のガイド板部３０に当接されることにより、反射板ユニット１４が取り付けられた点灯ユニット１５が本体ユニット１１の短手方向に誘導されてずれが補正され、反射板ユニット１４が取り付けられた点灯ユニット１５が本体ユニット１１の短手方向に対して所定の位置に取り付けられる。
【００３４】
以上、説明した一実施形態の照明器具１０によれば、落下防止紐１９が、従来のもののように、施工現場において、フックを本体ユニットに引掛ける必要がなく、反射板ユニット１４が取り付けられた点灯ユニット１５の落下を確実に防止できる。
【００３５】
また、照明器具１０によれば、取付金具１３が、単一構造の部材に、落下防止紐１９を結束させる機能と、取付ばね１８に嵌合される機能とを有するために、点灯ユニット１５に、落下防止紐１９を結束させる部材と、取付ばね１８に嵌合される部材との別部材を取り付ける場合と比べて、部品点数を削減できる。
【００３６】
そして、照明器具１０によれば、落下防止紐１９が、回転規制部３２により結束部材３１を緩め止めすることにより、結束部材３１を介して取付金具１３の傾斜板部２７に結束された取付金具結束部２６を取付金具１３の傾斜板部２７から容易に外れないようにできる。また、落下防止紐１９の引出方向を規制できる。
【００３７】
さらに、照明器具１０によれば、落下防止紐１９が、取付金具１３の嵌合部２４よりも本体ユニット１１の内側の傾斜板部２７に結束されているために、嵌合部２４と取付ばね１８との間に挟み込まれないようにできる。
【００３８】
加えて、照明器具１０によれば、反射板ユニット１４が取り付けられた点灯ユニット１５が本体ユニット１１に組み立てられるに際し、反射板ユニット１４の側板２１が取付金具１３のガイド板部３０に当接されることにより、反射板ユニット１４が取り付けられた点灯ユニット１５が本体ユニット１１の短手方向に誘導されてずれが補正され、反射板ユニット１４が取り付けられた点灯ユニット１５を本体ユニット１１の短手方向に対して所定の位置に取り付けできる。
【００３９】
さらに加えて、照明器具１０によれば、反射板ユニット１４が取り付けられた点灯ユニット１５が本体ユニット１１に組み立てられるに際し、反射板ユニット１４の端板２０が取付金具１３のガイド板部３０に当接されることにより、反射板ユニット１４が取り付けられた点灯ユニット１５が本体ユニット１１の長手方向に誘導されてずれが補正され、反射板ユニット１４が取り付けられた点灯ユニット１５を本体ユニット１１の長手方向に対して所定の位置に取り付けできる。
【００４０】
一実施形態の照明器具１０の組立方法によれば、落下防止紐１９が、従来のもののように、施工現場において、フックを本体ユニットに引掛ける必要がなく、反射板ユニット１４が取り付けられた点灯ユニット１５の落下を確実に防止できる。
【００４１】
なお、本発明の照明器具および照明器具の組立方法において本体ユニット，点灯回路，反射板ユニット，点灯ユニット，ＬＥＤ，ＬＥＤユニット等は、前述した実施形態に限定されるものでなく、適宜な変形や改良等が可能である。
【符号の説明】
【００４２】
１０  照明器具
１１  本体ユニット
１２  点灯回路
１３  取付金具
１５  点灯ユニット
１６  ＬＥＤ
１８  取付ばね
１９  落下防止紐
２４  嵌合部
２７  傾斜板部
２９  基部
３０  ガイド板部
３２  回転規制部
【図１】
0005623209.tif 000002
【図２】
0005623209.tif 000003
【図３】
0005623209.tif 000004
【図４】
0005623209.tif 000005
【図５】
0005623209.tif 000006
【図６】
0005623209.tif 000007
【図７】
0005623209.tif 000008
【図８】
0005623209.tif 000009
【図９】
0005623209.tif 000010